(57)【特許請求の範囲】
【請求項１】
被加熱物を載置する天板と、
この天板の下方に設けられ、前記被加熱物を誘導加熱する加熱コイルと、
前記加熱コイルへ交流電力を供給するインバーター回路と、
前記天板の裏面に接触して前記被加熱物の熱を検出する接触式温度センサーと、
前記被加熱物の赤外線エネルギーを検出する赤外線センサーと、
前記接触式温度センサーの出力および前記赤外線センサーの出力を温度に換算する温度検出手段と、
前記被加熱物が前記天板に載置されたとき、前記被加熱物の予熱を前記加熱コイルの誘導加熱により行わせるように前記インバーター回路を制御する予熱機能を有する制御手段と、を備え、
前記制御手段は、前記予熱機能による誘導加熱が行なわれた際に、前記接触式温度センサーの出力を前記温度検出手段が換算した温度に基づいて、前記被加熱物の第１の温度変化の勾配を算出し、前記赤外線センサーの出力を前記温度検出手段が換算した温度に基づいて、前記被加熱物の第２の温度変化の勾配を算出し、前記第１の温度変化の勾配および前記第２の温度変化の勾配の両方が第１の規定値を超えた時、もしくは、前記第１の温度変化の勾配および前記第２の温度変化の勾配の両方が前記第１の規定値より小さい第２の規定値以下の時に、前記予熱機能における、前記接触式温度センサー用の上限温度および前記赤外線センサー用の上限温度の少なくとも一方を変更することを特徴とする誘導加熱調理器。
【請求項２】
前記制御手段は、前記第１の温度変化の勾配および前記第２の温度変化の勾配と前記接触式温度センサー用の上限温度の補正値および前記赤外線センサー用の上限温度の補正値の少なくとも一方を対応させた表に基づいて、前記接触式温度センサーの上限温度および前記赤外線センサーの上限温度の少なくとも一方を変更し、変更された上限温度に基づいて前記被加熱物の予熱を実行することを特徴とする請求項１記載の誘導加熱調理器。
【請求項３】
被加熱物を載置する天板と、
この天板の下方に設けられ、前記被加熱物を誘導加熱する加熱コイルと、
前記加熱コイルへ交流電力を供給するインバーター回路と、
前記天板の裏面に接触して前記被加熱物の熱を検出する接触式温度センサーと、
前記被加熱物の赤外線エネルギーを検出する赤外線センサーと、
前記接触式温度センサーの出力および前記赤外線センサーの出力を温度に換算する温度検出手段と、
前記被加熱物が前記天板に載置されたとき、前記被加熱物の予熱を前記加熱コイルの誘導加熱により行わせるように前記インバーター回路を制御する予熱機能を有する制御手段と、を備え、
前記制御手段は、前記予熱機能による誘導加熱が行なわれた際に、前記接触式温度センサーの出力を前記温度検出手段が換算した温度に基づいて、前記被加熱物の第１の温度変化の勾配を算出し、前記赤外線センサーの出力を前記温度検出手段が換算した温度に基づいて、前記被加熱物の第２の温度変化の勾配を算出し、前記第１の温度変化の勾配および前記第２の温度変化の勾配の両方が第１の規定値を超えた時、もしくは、前記第１の温度変化の勾配および前記第２の温度変化の勾配の両方が前記第１の規定値より小さい第２の規定値以下の時に、前記予熱機能における予熱加熱時間を変更することを特徴とする誘導加熱調理器。
【請求項４】
前記制御手段は、前記第１の温度変化の勾配および前記第２の温度変化の勾配と、前記予熱加熱時間の補正値を対応させた表に基づいて前記予熱加熱時間を変更し、変更された予熱加熱時間に基づいて前記被加熱物の予熱を実行することを特徴とする請求項３記載の誘導加熱調理器。
【発明の詳細な説明】
【技術分野】
【０００１】
本発明は、誘導加熱調理器に関するものであり、特にフライパンの予熱に関する。
【背景技術】
【０００２】
従来から誘導加熱調理器に、サーミスターと、赤外線センサーと、サーミスターの出力および赤外線センサーの受光したエネルギーにより調理容器の温度を換算する温度検出手段と、を備え、温度勾配が所定の値より大きい場合は、赤外線センサーの検知温度を優先し、所定の値より小さい場合は、サーミスター（以下、接触式温度センサー）の検出温度を優先する誘導加熱調理器とし、赤外線センサーが所定の勾配以上に変化する場合は加熱電力量を抑制または加熱停止を行うことにより、油の発火や調理容器の変形を防止するものが知られている（例えば、特許文献１）。
また、赤外線センサーの受光感度波長域がトッププレートの赤外線透過波長域と重なるようにして調理容器の温度を応答性良く検出するものが知られている（例えば、特許文献２参照）。
【先行技術文献】
【特許文献】
【０００３】
【特許文献１】特開２００８−４１４７１公報（第１頁〜第３頁、第７頁）
【特許文献２】特開２００１−６３８８１号公報（第１頁〜第５頁、図１）
【発明の概要】
【発明が解決しようとする課題】
【０００４】
上記特許文献１および特許文献２に記載の従来例には、適当な火力でしかも適当な時間に予熱を終了するという予熱機能が搭載されており、フライパンの予熱を行う場合には、天板が常温で、常温のフライパンを載置して予熱を行うことを前提としている。
しかしながら、調理を行った直後の高温の天板に、常温のフライパンを載置して予熱を行う場合や、調理を行った直後の高温の天板に予熱などですでにかなり高温になったフライパンを載置して予熱を行う場合もありうる。このような場合には天板の裏面に接触したサーミスターなどの接触式温度センサーや赤外線センサーが誤検知することにより新たな問題が発生する。例えば、調理を行った直後の高温の天板に常温のフライパンを載置して予熱を行う場合、接触式温度センサーおよび赤外線センサーは、すでにフライパンが高温になっていると誤検知するため、予熱工程を所定の時間よりも早く終了してしまうという早切れの問題が発生する。
また、調理を行った直後の高温の天板に予熱などですでにかなり高温になったフライパンを載置して予熱を行う場合には、赤外線センサーおよび接触式温度センサーは天板を通して温度検知しているので、天板の熱を検知してしまう。従って、制御手段は、接触式温度センサーや赤外線センサーが検知する温度に基づいてフライパンが所定の予熱温度に到達したか否かの検出が困難になる。そこで、フライパンの温度が予熱温度に到達したにも拘わらず、ユーザーが再度予熱開始ボタンを操作してしまう場合があり、この場合には、フライパンの予熱時間が延長されてしまう遅切れという問題がある。この場合には、フライパンが加熱され過ぎて弗素コーティングを傷めたりフライパンが変形したりするという危険な事態に陥る。
【０００５】
本発明は、このような問題点を解決するために為されたものであり、高温の天板に、常温または天板よりも高温の被加熱物（例えばフライパン）を載置して予熱を行う場合においても、被加熱物の予熱を正常且つ安全に実施することが可能な誘導加熱調理器を提供することを目的としている。
【課題を解決するための手段】
【０００６】
本発明に係る誘導加熱調理器は、被加熱物を載置する天板と、この天板の下方に設けられ、前記被加熱物を誘導加熱する加熱コイルと、前記加熱コイルへ交流電力を供給するインバーター回路と、前記天板の裏面に接触して前記被加熱物の熱を検出する接触式温度センサーと、前記被加熱物の赤外線エネルギーを検出する赤外線センサーと、前記接触式温度センサーの出力および前記赤外線センサーの出力を温度に換算する温度検出手段と、  前記被加熱物が前記天板に載置されたとき、前記被加熱物の予熱を前記加熱コイルの誘導加熱により行わせるように前記インバーター回路を制御する予熱機能を有する制御手段と、を備え、前記制御手段は、前記予熱機能による誘導加熱が行なわれた際に、前記接触式温度センサーの出力を前記温度検出手段が換算した温度に基づいて、前記被加熱物の第１の温度変化の勾配を算出し、前記赤外線センサーの出力を前記温度検出手段が換算した温度に基づいて、前記被加熱物の第２の温度変化の勾配を算出し、前記第１の温度変化の勾配および前記第２の温度変化の勾配の両方が第１の規定値を超えた時、もしくは、前記第１の温度変化の勾配および前記第２の温度変化の勾配の両方が前記第１の規定値より小さい第２の規定値以下の時に、前記予熱機能における、前記接触式温度センサー用の上限温度および前記赤外線センサー用の上限温度の少なくとも一方を変更するものである。
【発明の効果】
【０００７】
本発明によれば、制御手段は、前記接触式温度センサーの出力を前記温度検出手段が換算した温度に基づいて、前記被加熱物の第１の温度変化の勾配を算出し、前記赤外線センサーの出力を前記温度検出手段が換算した温度に基づいて、前記被加熱物の第２の温度変化の勾配を算出し、前記第１の温度変化の勾配および前記第２の温度変化の勾配の両方が第１の規定値を超えた時、もしくは、前記第１の温度変化の勾配および前記第２の温度変化の勾配の両方が前記第１の規定値より小さい第２の規定値以下の時に、前記予熱機能における、前記接触式温度センサー用の上限温度および前記赤外線センサー用の上限温度の少なくとも一方を変更するので、この変更された上限温度に基づいて予熱を実行することにより、高温の天板に、常温または天板よりも高温の被加熱物を載置して予熱を行う場合においても、被加熱物の予熱を安全且つ確実に実施することが可能になる。
【図面の簡単な説明】
【０００８】
【図１】本発明に係る誘導加熱調理器の外観を示す斜視図である。
【図２】本発明に係る誘導加熱調理器の実施の形態１における制御系の構成を示すブロック図である。
【図３】本発明に係る誘導加熱調理器の実施の形態１における制御手段６のメイン処理を示すフローチャートである。
【図４】本発明に係る誘導加熱調理器の実施の形態１における制御手段６のフライパン予熱処理を示すフローチャートである。
【図５】本発明に係る誘導加熱調理器の実施の形態１におけるフライパン予熱用リミット温度の補正値を示す表である。
【図６】本発明に係る誘導加熱調理器の実施の形態１のフライパン予熱処理における接触式温度センサーおよび赤外線センサーの検出温度の変化を示す説明図である。
【図７】本発明に係る誘導加熱調理器の実施の形態２における制御手段６のフライパン予熱処理を示すフローチャートである。
【図８】本発明に係る誘導加熱調理器の実施の形態２におけるフライパン予熱時間の補正値を示す表である。
【発明を実施するための形態】
【０００９】
実施の形態１．
図１は本発明に係る誘導加熱調理器の外観を示す斜視図、図２は本発明に係る誘導加熱調理器の実施の形態１における制御系の構成を示すブロック図である。
図１に示すように誘導加熱調理器１００は、本体１と、本体１の上面を形成し鍋などの被加熱物を載置する耐熱ガラス製の天板２とから構成される。また、天板２の下方には被加熱物を誘導加熱する３つの加熱部の位置を示す加熱部マーク３が配置されている。具体的には、手前から（図１の矢印Ａから）見て左側の加熱部マーク３ａと右側の加熱部マーク３ｂと後方の加熱部マーク３ｃが配置されている。
また、天板２上の３個の加熱部マーク３の各々に対応して、天板２の下方には加熱コイル４が配置されている。即ち、加熱部マーク３ａの真下に加熱コイル４ａが配置されており、加熱部マーク３ｂの真下に加熱コイル４ｂが配置されており、加熱部マーク３ｃの真下に加熱コイル４ｃが配置されている。
【００１０】
また、図２に示すように、本体１の内部には加熱コイル４ａ、４ｂ及び４ｃに高周波電力を供給するインバーター回路５やインバーター回路５を制御する制御手段６、および時間を計算する計時手段７を搭載するプリント回路基板（図示せず）が基板ケース（図示せず）内に収容された状態で取付けられている。制御手段６はマイコンやＤＳＰやマイクロプロセッサーなどで構成されており、図示しない記憶手段を内蔵している。プリント回路基板の設置場所については、発熱個所から遠く、冷却可能な風路中であれば、どこでもよいが、冷却効率の観点から、加熱コイル４よりも上流に配置するのがよい。本発明とは関係ないため、詳細な説明を省略するが、冷却ファン（図示せず）は本体１の下部後方の両側に設置され、本体１の外部から空気を吸入し、プリント回路基板（図示せず）及び加熱コイル４に冷却風を送ってこれらを冷却した後、後方に進んで本体１の後方に形成された排気口を介して本体１の外へ排気する。なお、図１に示すように本体１の下部にはグリル９が引き出し自在に設けられており、魚などの焼き物料理等の調理が可能となっている。
【００１１】
更に、本体１の下部手前の右側には図１に示すように操作手段としての操作部８が設けられており、ユーザーがこの操作部８を操作することにより、加熱出力の調整や誘導加熱調理器への設定などの操作・設定情報が入力可能である。なお、操作部８には、グリル９の操作部も含まれている。
また、３つの加熱コイル４ａ、４ｂ及び４ｃは所謂３口型の加熱部を構成しているが、加熱コイル４ｃに代えて、ほぼ同径のラジエントヒーターを配置しても良い。
また、天板２の加熱部マーク３の領域内の裏面（加熱コイル４と対応する面）には、サーミスターなどの接触式温度センサー１１が１つ以上接触するように配置されている。なお、被加熱物としてここではフライパン１０を対象としている。また、天板２の下方には、天板２を介してフライパン１０の底部から放射された赤外線エネルギーを検出するように赤外線センサー１２が加熱部毎に配置されている。さらに、天板２の下方には、接触式温度センサー１１の検知信号と赤外線センサー１２の受光した赤外線エネルギーをＡ／Ｄ変換してフライパン１０の温度に換算する温度検出手段１３が設けられており、換算した温度情報を制御手段６へ出力する。
なお、接触式温度センサー１１をＴＨと呼ぶことがある。同様に、赤外線センサー１２をＩＲと呼ぶことがある。
【００１２】
また、図３は本発明に係る誘導加熱調理器の実施の形態１における制御手段６のメイン処理を示すフローチャートであり、図４は本発明に係る誘導加熱調理器の実施の形態１における制御手段６のフライパン予熱処理を示すフローチャートである。また、図５は本発明に係る誘導加熱調理器の実施の形態１におけるフライパン予熱用リミット温度の補正値を示す表である。また、図６は、本発明に係る誘導加熱調理器の実施の形態１のフライパン予熱処理における接触式温度センサーおよび赤外線センサーの検出温度の変化を示す説明図である。
次に、本実施の形態１における制御手段６の動作を図１〜６を用いて説明する。
誘導加熱調理器１００の電源スイッチ（図示せず）がユーザーによって投入されると、制御手段６が起動される。制御手段６は、図３に示すメイン処理において、まず、内部に保有しているカウンタのクリヤや初期値設定などの初期処理を行った（ステップＳ３０１）後、操作部８からユーザーによって設定された情報を入力する（ステップＳ３０２）。次に制御手段６は、入力した設定情報がフライパン予熱開始命令か否かを調べ（ステップＳ３０３）、調理開始でなければ、ステップＳ３０２に戻り、上記と同様の処理を繰り返してフライパン予熱開始命令が入力されるまで待つ。この状態において、ユーザーが天板２にフライパン１０を載置し、続いてフライパン予熱開始スイッチを押下すると、操作部８からフライパン予熱開始命令の信号が生成されて制御手段６に入力される。制御手段６は、ステップＳ３０３においてフライパン予熱開始命令を入力すると、フライパン予熱処理ソフトを起動した（ステップＳ３０４）上で、ステップＳ３０２へ戻る。これにより、図４に示すフライパン予熱処理が動作を開始する。
【００１３】
ステップＳ３０３において、フライパン予熱開始命令が入力されないとき、ステップＳ３０２へ戻る。
なお、設定情報には、他にも種々の調理開始命令が含まれるが、本発明の対象でないため、図示およびその説明を省略する。
【００１４】
次に、図４に示すフライパン予熱処理の動作について説明する。
本フライパン予熱処理の機能が起動されると、制御手段６は、まず、温度検出手段１３から接触式温度センサー１１（ＴＨ）の出力を温度検出手段１３が換算した温度と赤外線センサー１２（ＩＲ）の検出温度を取得する（ステップＳ４０１）。次に、制御手段６は接触式温度センサー１１の出力を温度検出手段１３が換算した温度が基準値Ｔａ以上か否かを判断し（ステップＳ４０２）、基準値よりも低ければ、フライパン１０の温度は高温でないと判断してステップＳ４０６へ飛ぶ。ステップＳ４０２において、接触式温度センサー１１の検出温度が基準値Ｔａ以上（ＹＥＳ）の場合、制御手段６は、フライパン１０の温度は比較的高温であると判断し、この場合には、まだ予熱を行なわず、接触式温度センサー１１（サーミスター）の出力に基づいてフライパン１０の第１の温度変化を算出し、また、赤外線センサーの出力に基づいてフライパン１０の第２の温度変化を算出し、算出した第１の温度変化または第２の温度変化を所定時間（例えば３０秒間）監視し続ける。そして、この間に、接触式温度センサー１１の出力に基づいて算出した第１の温度変化の量（即ち、勾配）および赤外線センサー１２の出力に基づいて算出した第２の温度変化の量（即ち、勾配）を調べ、その時の天板２上のフライパン１０の温度が高いのか低いのかを判断する（ステップＳ４０３〜Ｓ４０４）。
例えば、天板２の上に天板２よりも熱いフライパン１０を載せると、接触式温度センサー１１の検出温度および赤外線センサー１２の検出温度が次第に上昇していく。逆に天板２の上に天板２よりも冷たいフライパン１０を載せると、接触式温度センサー１１の検出温度および赤外線センサー１２の検出温度が次第に下降していく。
【００１５】
次に、制御手段６は、この接触式温度センサー１１の出力に基づいて算出した第１の温度変化の勾配および赤外線センサーの出力に基づいて算出した第２の温度変化の勾配に基づいて図５に示す表を参照することで接触式温度センサー１１用のリミット温度および赤外線センサー１２用のリミット温度の補正値を取得し、この補正値により接触式温度センサー１１用のリミット温度および赤外線センサー１２用のリミット温度を変更する（ステップＳ４０５）。例えば、３０秒の間に接触式温度センサー１１の出力に基づいて算出した第１の温度および赤外線センサー１２の出力に基づいて算出した第２の温度が１０℃以上下がった場合、制御手段６は、図５の表を参照することにより、補正値β１、β２としてそれぞれ＋１０℃、＋１０℃を取得する。そして、この補正値により接触式温度センサー１１用のリミット温度および赤外線センサー１２用のリミット温度をそれぞれ１０℃上げる。また、接触式温度センサー１１の出力に基づいて算出した第１の温度変化の勾配および赤外線センサー１２の出力に基づいて算出した第１の温度変化の勾配が１０℃よりも高く上昇した場合、制御手段６は、図５の表を参照することにより、補正値β１、β２としてそれぞれ−１０℃、−１０℃を取得する。そして、この補正値により接触式温度センサー１１用のリミット温度および赤外線センサー１２用のリミット温度をそれぞれ１０℃下げる（ステップＳ４０５）。
なお、図５の表は接触式温度センサー１１の出力に基づいて算出された第１の温度変化の勾配と赤外線センサー１２の出力に基づいて算出された第１の温度変化の勾配をマトリックス化し、各対応する行と列のセルにリミット温度の補正値を格納した表であり、制御手段６はこの補正値に基づいて高温の天板２の上に天板２よりも高温のフライパン１０が載置されたのか、高温の天板２の上に天板２よりも冷たいフライパン１０が載置されたのかを判断してリミット温度を変更する。
なお、表中のΔＴは所定時間（ここでは３０秒間）におけるセンサー出力に基づく温度の変化量（即ち、勾配）である。
【００１６】
次に、制御手段６は、インバーター回路５を制御して加熱コイル４の誘導加熱によりフライパン１０の予熱を行わせる（ステップＳ４０６）。次に、制御手段６は、接触式温度センサー１１の出力に基づいて温度検出手段１３が換算したフライパン１０の温度あるいは赤外線センサー１２の出力に基づいて温度検出手段１３が換算したフライパン１０の温度がリミット温度以上に到達したか否かを調べる（ステップＳ４０７〜Ｓ４０８）。いずれか一方がリミット温度以上に到達したらフライパン１０の温度が危険な高温であるため、フライパン予熱処理を終了する。また、いずれもリミット温度以上に到達していなければ、フライパン１０の予熱加熱時間が経過したか否かを判断し（ステップＳ４０９）、フライパン１０の予熱加熱時間がまだ経過していなければステップＳ４０６へ戻り、リミット温度以上になるまであるいはフライパンの予熱加熱時間が経過するまでステップＳ４０６〜Ｓ４０９を繰り返し実行する。フライパンの予熱加熱時間が経過したらフライパン予熱処理を終了する。
【００１７】
ここで、フライパン予熱の動作について図６を用いて説明する。
フライパン予熱は予熱工程とその後の保温工程とから成る。予熱工程では、所定の火力例えば、１０００Ｗが加熱コイル４へ供給され、誘導加熱による予熱によりフライパン１０の温度が次第に上昇していき、所定の予熱工程時間が経過すると、タイムアウトにより接触式温度センサー１１の出力に基づいて温度検出手段１３が換算したフライパン１０の温度が接触式温度センサー１１用のリミット温度に到達する前に終了する。赤外線センサー１２についても同様であり、タイムアウトにより赤外線センサー１２の出力に基づいて温度検出手段１３が換算したフライパン１０の温度が赤外線センサー１２用のリミット温度に到達する前に終了する。この後は保温工程に入り、予熱工程よりも小さい所定の火力例えば、５００Ｗを加熱コイル４へ供給し、誘導加熱による予熱により保温工程の終了までフライパン１０の温度がほぼ一定温度を維持し続ける。
【００１８】
本実施の形態１によれば、フライパン予熱処理においては、上記のように接触式温度センサー１１の出力に基づいて温度検出手段１３が換算したフライパン１０温度から制御手段６がフライパン１０の第１の温度変化の勾配を算出し、赤外線センサーの出力に基づいて温度検出手段１３が換算したフライパン１０の温度から制御手段６がフライパン１０の第２の温度変化を算出し、第１の温度変化の勾配および第２の温度変化の勾配の両方に基づいて図５の表を参照することで、補正値を取得し、この補正値によりフライパン１０の予熱機能における、接触式温度センサー１１用のリミット温度（上限温度）および赤外線センサー１２用のリミット温度（上限温度）の少なくとも一方を変更し、変更された上限温度に基づいて予熱を実行するので、高温の天板に、常温または天板よりも高温のフライパンを載置して予熱を行う場合においても、フライパンの予熱を安全且つ確実に実施することが可能になる。
【００１９】
なお、上記の例では、接触式温度センサーの出力から算出されたフライパン１０の第１の温度変化の勾配および赤外線センサーの出力から算出されたフライパン１０の第２の温度変化の勾配に基づいて接触式温度センサー１１用のリミット温度（上限温度）および赤外線センサー１２用のリミット温度（上限温度）の少なくとも一方を変更することについて説明したが、変更だけに限る必要はない。例えば、接触式温度センサーの出力から算出されたフライパン１０の第１の温度変化の勾配および赤外線センサーの出力から算出されたフライパン１０の第２の温度変化の勾配に基づいて接触式温度センサー１１用のリミット温度（上限温度）および赤外線センサー１２用のリミット温度（上限温度）の少なくとも一方を設定しても良い。
【００２０】
実施の形態２．
図１〜３および図６は本実施の形態でも用いられる。
図７は本発明に係る誘導加熱調理器の実施の形態２における制御手段６のフライパン予熱処理を示すフローチャートである。また、図８は本発明に係る誘導加熱調理器の実施の形態２におけるフライパン予熱時間の補正値を示す表である。
図７のフローチャートは、図４のステップＳ４０５をステップＳ７０１に置き換えている以外は図４と同じである。ステップＳ７０１において、制御手段６は、接触式温度センサー１１の出力に基づいて算出した第１の温度変化の勾配および赤外線センサー１２の出力に基づいて算出した第２の温度変化の勾配に基づいて図８に示す表を参照することで予熱時間の補正値を取得し、この補正値により予熱時間を変更する。例えば、接触式温度センサー１１の出力に基づいて算出した第１の温度変化の勾配および赤外線センサー１２の出力に基づいて算出した第２の温度変化の勾配検出が１０℃以上下がった場合、制御手段６は、図８の表を参照することにより、補正値として＋３０秒を取得する。そして、この補正値により予熱時間を３０秒延長する。また、接触式温度センサー１１の出力に基づいて算出した第１の温度変化の勾配および赤外線センサー１２の出力に基づいて算出した第２の温度変化の勾配検出が１０℃よりも高く上昇した場合、制御手段６は、図８の表を参照することにより、補正値として−３０秒を取得する。そして、この補正値により予熱時間を３０秒短縮する。
【００２１】
本実施の形態２によれば、フライパン予熱処理において、上記のように接触式温度センサー１１の出力を温度検出手段１３が換算した温度からフライパン１０の第１の温度変化の勾配を算出し、赤外線センサー１２の出力を温度検出手段１３が換算した温度からフライパン１０の第２の温度変化の勾配を算出し、第１の温度変化の勾配および第２の温度変化の勾配の両方に基づいて図８の表を参照することで、予熱時間の補正値を取得し、この補正値によりフライパン１０の予熱時間を変更し、変更された予熱時間に基づいて予熱を実行するので、高温の天板に、常温または天板よりも高温のフライパン１０を載置して予熱を行う場合においても、フライパン１０の予熱を安全且つ確実に実施することが可能になる。
【００２２】
なお、上記の例では、接触式温度センサーの出力から算出されたフライパン１０の第１の温度変化の勾配および赤外線センサーの出力から算出されたフライパン１０の第２の温度変化の勾配に基づいて予熱時間を変更することについて説明したが、変更だけに限る必要はない。例えば、接触式温度センサーの出力から算出されたフライパン１０の第１の温度変化の勾配および赤外線センサーの出力から算出されたフライパン１０の第２の温度変化の勾配に基づいて予熱時間を設定しても良い。
【符号の説明】
【００２３】
１  誘導加熱調理器本体、２  天板、３、３ａ〜３ｃ  加熱部マーク、４，４ａ〜４ｃ
加熱コイル、５  インバーター回路、６  制御手段、７  計時手段、８  操作部、９  グリル、１０  フライパン、１１  接触式温度センサー（サーミスター）、１２  赤外線センサー、１３  温度検出手段、１００  誘導加熱調理器。
【図１】
0005546367.tif 000002
【図２】
0005546367.tif 000003
【図３】
0005546367.tif 000004
【図４】
0005546367.tif 000005
【図５】
0005546367.tif 000006
【図６】
0005546367.tif 000007
【図７】
0005546367.tif 000008
【図８】
0005546367.tif 000009